(57)【特許請求の範囲】
【請求項１】
証明書類を印刷して発行する証明書類自動発行装置において、
発行する証明書類の種類を選択入力する入力手段と、
所望の証明書類を印刷する印刷手段と、
該印刷手段から送出された証明書類を搬送する第１の搬送手段と、
該第１の搬送手段により搬送された証明書類の所望の位置に移動可能に装着され、所望の朱印印字を行う朱印印字手段と、
前記第１の搬送手段により搬送され、前記朱印印字済みの証明書類を順次スタックするスタック手段と、
前記証明書類の発行料金を扱う現金部と、
発行された証明書類のうち取り忘れの証明書類を回収する回収手段と、
該回収手段へ前記証明書類を搬送する第２の搬送手段と、
これらを制御する制御手段とを備え、
さらに、
前記スタック手段は、
上部搬送手段と、
下部搬送手段と、
前記上部搬送手段を上下に開閉する開閉手段と、
証明書類を排出する証明書発行口に設けられたシャッタと、
ゲートからなり、
第１の搬送手段により搬送された証明書類をスタックする場合は、前記上部搬送手段は上方に開けられ、
スタック手段にスタックされた証明書類を一括排出する場合は、前記上部搬送手段は前記開閉手段により降下せしめられ、証明書類を下部搬送手段に押圧して排出方向に駆動排出され、
所定時間経過しても証明書類が抜き取られなければ取り忘れとみなされ、前記上下部搬送手段によって排出方向とは逆に引込まれ、証明書類は第２の搬送手段に送り込まれ証明書類の回収手段に回収収納され、
さらに、
前記スタック手段のゲートは、
長さ方向が当該スタック手段のサイズ以上の証明書類をスタックするとき、証明書類の前端が排出口に出ないよう、ゲート下部の装置内に案内するように可動し、
証明書類のスタックが完了したとき、該証明書類は所定量引き込まれ前記ゲートが降下し、証明書類が証明書発行口に排出されることを特徴とする証明書類自動発行装置。
【請求項２】
証明書類を印刷して発行する証明書類自動発行装置において、
発行する証明書類の種類を選択入力する入力手段と、
所望の証明書類を印刷する印刷手段と、
該印刷手段から送出された証明書類を搬送する第１の搬送手段と、
該第１の搬送手段により搬送された証明書類の所望の位置に移動可能に装着され、所望の朱印印字を行う朱印印字手段と、
前記第１の搬送手段により搬送され、前記朱印印字済みの証明書類を順次スタックするスタック手段と、
前記証明書類の発行料金を扱う現金部と、
発行された証明書類のうち取り忘れの証明書類を回収する回収手段と、
該回収手段へ前記証明書類を搬送する第２の搬送手段と、
これらを制御する制御手段とを備え、
さらに、
前記スタック手段は、
上部搬送手段と、
下部搬送手段と、
前記上部搬送手段を上下に開閉する開閉手段と、
証明書類を排出する証明書発行口に設けられたシャッタと、
ゲートからなり、
第１の搬送手段により搬送された証明書類をスタックする場合は、前記上部搬送手段は上方に開けられ、
スタック手段にスタックされた証明書類を一括排出する場合は、前記上部搬送手段は前記開閉手段により降下せしめられ、証明書類を下部搬送手段に押圧して排出方向に駆動排出され、
所定時間経過しても証明書類が抜き取られなければ取り忘れとみなされ、前記上下部搬送手段によって排出方向とは逆に引込まれ、証明書類は第２の搬送手段に送り込まれ証明書類の回収手段に回収収納され、
さらに、
前記証明書類の回収手段は、所定サイズ以上の証明書類を回収スタックするとき該証明書類の先端を湾曲させるようなガイド部材を有し、所定サイズ以上の証明書類を回収スタックすることを特徴とする証明書類自動発行装置。
【請求項３】
証明書類を印刷して発行する証明書類自動発行装置において、
発行する証明書類の種類を選択入力する入力手段と、
所望の証明書類を印刷する印刷手段と、
該印刷手段から送出された証明書類を搬送する第１の搬送手段と、
該第１の搬送手段により搬送された証明書類の所望の位置に移動可能に装着され、所望の朱印印字を行う朱印印字手段と、
前記第１の搬送手段により搬送され、前記朱印印字済みの証明書類を順次スタックするスタック手段と、
前記証明書類の発行料金を扱う現金部と、
発行された証明書類のうち取り忘れの証明書類を回収する回収手段と、
該回収手段へ前記証明書類を搬送する第２の搬送手段と、
これらを制御する制御手段とを備え、
さらに、
前記スタック手段は、
上部搬送手段と、
下部搬送手段と、
前記上部搬送手段を上下に開閉する開閉手段と、
証明書類を排出する証明書発行口に設けられたシャッタと、
ゲートからなり、
第１の搬送手段により搬送された証明書類をスタックする場合は、前記上部搬送手段は上方に開けられ、
スタック手段にスタックされた証明書類を一括排出する場合は、前記上部搬送手段は前記開閉手段により降下せしめられ、証明書類を下部搬送手段に押圧して排出方向に駆動排出され、
所定時間経過しても証明書類が抜き取られなければ取り忘れとみなされ、前記上下部搬送手段によって排出方向とは逆に引込まれ、証明書類は第２の搬送手段に送り込まれ証明書類の回収手段に回収収納され、
さらに、
前記スタック手段のシャッタは、証明書類の排出方向に対し直角方向に分割され、各々は上部の支持軸に回転自由に自重により排出方向に傾斜して垂下がり、証明書類を排出するときは、該シャッタの自重を押し退け排出し、通常は開口部の外部からは開口部が閉じた状態であることを特徴とする証明書類自動発行装置。
【発明の詳細な説明】
【０００１】
【発明の属する技術分野】
本発明は、自治体における住民票や印鑑証明書類、或いは大学における卒業見込み証明書等のいわゆる証明書類を自動的に発行する装置に係る。
【０００２】
【従来の技術】
近年自治体における住民票や印鑑証明書類、或いは大学における卒業見込み証明書等いわゆる証明書類の発行処理は窓口業務における職員による発行処理から、効率向上、サービスの向上を目指して、平日、休日を問わず利用者が何時でも直接操作して所望の証明書類を取得できるいわゆる証明書類の自動発行装置へのニーズが高まりつつある。
【０００３】
こうしたニーズに対応し、様々な証明書類の自動発行装置が出現してきているが、従来のかかる製品は装置が大きく、高価で発行に時間が掛かる等種々の問題があった。
【０００４】
さらには証明書類には、大きなサイズから比較的小さいサイズまで各種サイズの各種証明書があり、これらにいかに小型で高率よく一括自動発行できるかが求められている。
【０００５】
【発明が解決しようとする課題】
従来かかる各種サイズの各種証明書類を一括で発行するには一括で大きいサイズの証明書類をスタックするに十分なサイズのスタッカを装着する必要があり、装置全体としては利用する最大用紙サイズに対応して大きくせざるを得なかった。
【０００６】
一方装置全体を大きくした場合、証明書類の発行のための搬送路長が長くなり、発行時間が長くなるだけでなく、装置の大型化、複雑化、高価とならざるをえなかった。
【０００７】
また、装置の大型化をせず、スタッカが利用する最大用紙サイズに対応しない場合、最大サイズの証明書類はスタック中に発行口に先端部が出た状態となり、各種サイズの証明書類を一括スタック、一括発行どころかスタック未完了の状態で利用者が取り出すなどの問題が発生し取り扱い上の大きな支障となっていた。
【０００８】
本発明の目的は、小型で効率の良い各種サイズの各種証明書類自動発行装置を提供することを目的とするものである。
【０００９】
本発明の他の目的は、前記証明書類の発行後、利用者が証明書類を取り忘れた場合、これを回収する証明書類自動発行装置を提供しようとするものである。
【００１０】
【課題を解決するための手段】
本発明の第１の目的を実施するために、所定サイズ以上の証明書類をスタックする場合、該証明書の先端部の搬送方向を発行口とは切替える切替え手段を有し、装置内部に一時的に収容し証明書類をスタックすると共に、所定枚数スタックが完了し該証明書を発行するときは、該証明書類を前記切替え手段より手前まで一旦引き込み、今度は前記切替え手段を元に戻し、証明書類を発行口側に発行するようにして小さなスタッカで、当該サイズ以上の証明書類のスタックを実現しようとするものである。
【００１１】
一方本発明の大２の目的を実現するために、前記回収手段も同様に、前記証明書類を回収しようとする場合、前記所定サイズ以上の証明書類の先端部を湾曲したガイドで湾曲せしめて回収収納するようにして小さな取り忘れ回収手段で当該サイズ以上の証明書類の取り忘れ回収を実現をしようとするものである。
【００１２】
【発明の実施の形態】
以下に本発明の一実施の形態を図面に従って説明する。第１図は本発明の要部を説明する装置断面図、第２図は本発明の装置全体を説明する正面図、第３図は本発明の朱印印字部の要部を説明する上面図である。第４図は証明書の一例を説明する説明図である。
第２図において、本発明による証明書類の自動発行装置は、利用者が所望する証明書類を選択したり操作するいわゆる操作部１と、証明書類を印刷、搬送し自動発行する証明書類自動発行機構部２と、証明書発行手数料等を入出金処理する現金部３と、本人確認のためのＩＤリーダ４と、領収書を発行する領収書発行部５と、これらを制御する制御装置６からなる。
【００１３】
証明書１０を発行する場合、利用者はまず操作部１のタッチパネル画面１ａにより発行を希望する所望の証明書類のメニューを選択し、音声等のガイダンス等にしたがってＩＤリーダ４にＩＤカード７を第１図の矢印７Ａの方向挿入し、画面１ａより暗証番号を入力し本人確認を行なうことから取引が開始される。
【００１４】
証明書類の取引メニューの入力と本人確認が完了すれば、所望の料金をコイン投入口３１、紙幣投入口３２から投入すると、所望の証明書１０が証明書類自動発行機構部２で印刷、スタックされ証明書発行口８より一括発行されるようになっている。
【００１５】
同時に領収書、釣り銭が領収書発行部５、釣り銭口３３より発行され、一連の証明書発行処理が完了する。
【００１６】
図１において、操作部１の背面に実装された制御装置６は上位装置（図示されず）との接続機能を持つと共に本発明の装置全体における証明書発行処理を行なう。
【００１７】
操作部１のタッチパネル画面１ａより選択入力された所望の証明書１０は証明書類自動発行機構部２により印刷され発行されるが、以下に該証明書類自動発行機構部２における発行プロセスを説明する。
【００１８】
制御装置６より指示され、発行すべき証明書１０は電子式印刷装置１１により所望のフォーマットに印刷面を下向きに印刷され、第１の搬送手段１２に送り込まれる。
電子式印刷装置１１は電子式印刷手段からなり、複数の用紙ホッパ１１１、１１２、１１３にそれぞれ所望サイズの証明書用紙１１１ａ，１１２ｂ、１１３ｃが収納されており、所望の用紙がそれぞれの用紙ホッパから送出されるようになっている。
【００１９】
前記用紙ホッパ１１１、１１２、１１３から送出された証明書用紙は電子印刷部１１４で所望の証明書内容が印刷され第１の搬送手段１２に送りこまれる。第１の搬送手段には認証印となる印を朱色で印字する朱印印字手段１３が設けられており、送り込まれた証明書１０は印刷面を朱印印字手段１３側にして搬送され、前記朱印印字手段１３の前方を通過しながら証明書１０上の所望の位置に所望の認証印を朱色で印影印字し、スタック１４迄搬送され、スタックされるようになっている。
【００２０】
朱印印字手段１３は当該証明書１０上の所望の位置に所望の認証印を朱印で効率よく印字するために、証明書１０は搬送を停止させることなく、前記朱印印字手段１３は前記証明書１０の搬送方向とは直交する方向の所望の位置に移動、位置決めされ、搬送してくる証明書１０の所望の位置に搬送ながら印字するようになっている。
【００２１】
朱印印字手段１３はキャリア１５に搭載され、前記証明書１０の搬送方向と直交方向にドット配列されたいわゆるサーマルライン印字ヘッド１６と、該印字ヘッド１６により証明書１０上に所望の朱印を印字する時、前記印字ヘッド１６をプラテン１７上に押圧する押圧手段１８と、前記サーマルライン印字ヘッド１６を前記証明書１０上の所望の位置に位置決めするために証明書１０の搬送方向とは直交する方向に移動位置決めするようにしてなるキャリア駆動手段２１と、朱印印字ができるよう前記朱印印字手段１３に装着されたリボンカセット１９と、朱印リボン２０からなり、制御装置６より指令を受け駆動回路６１を介し駆動制御されるようになっている。
【００２２】
第３図においてキャリア駆動手段２１はキャリアモータ２３と、ベルト２４と、サポートレール２２からなり、矢印２５に示す通り、証明書１０の搬送方向と直交する方向に左右自由に摺動できるようにサポートレール２２に支持され、キャリアモータ２３によりベルト２４を介し駆動され、サーマルライン印字ヘッド１６を証明書１０の搬送と直交する所望位置に移動位置決めされる。証明書１０が所望の位置まで搬送されてきたとき、前記サーマルライン印字ヘッド１６は先に述べた通りプラテン１７上に朱印リボン２０を挟み証明書１０上を押圧し所望の位置に所望の印影を印字するようになっている。リボンモータ２６は朱印リボンを巻き取るモータで前記サーマルライン印字ヘッド１６の押圧に同期して駆動するようになっている。
【００２３】
第４図において、証明書１０に印刷される内容証明部１０ａは前述の電子式印刷装置１１で印刷され朱印１０ｂは前述の説明の通り証明書１０がＹ方向に搬送されながら、前記サーマルライン印字ヘッド１６が証明書１０の搬送方向とは直交する方向Ｘ方向に移動位置決めされ所望の朱印印字がされる。
【００２４】
第１図において証明書１０上に朱印の施された証明書１０はスタッカ１４に送り込まれる。該スタッカ１４は上部搬送ガイド１４ａ、下部搬送ガイド１４ｂ、上部搬送ガイド開閉手段１４ｃ、切り替えゲート２８、シャッタ２７からなり、該スタッカ１４内に証明書が所望の枚数スタックされされるまで上部搬送ガイド１４ａは前記上部搬送ガイド開閉手段ｃにより上方に上げられている。
【００２５】
スタッカ１４内にスタックされた証明書１０１はスタックが完了すると、前記上部搬送ガイドが前記上部搬送ガイド開閉手段により降下せしめられ、下部搬送ガイド１４ｂとの間に挟持され、発行方向１０Ａの方向に搬送発行されるようになっている。
【００２６】
スタッカ１４内にスタックされる証明書１０１が所定のサイズより大きい証明書１０２をスタックする場合、切替えゲート２８はゲート位置２８ａの位置に作動せしめられ湾曲したガイド２９に沿ってスタッカ１４の下部の装置内に前記証明書１０２の先端が案内されるよう一旦スタックされる。所望の枚数スタックが完了すると、該証明書１０２は上部搬送ガイド１４ａと下部搬送ガイド１４ｂに挟持され所定量引込んだ後、前記切替えゲート２８はゲート位置２８ｂの位置に降ろされ、前記証明書１０２を前述と同じように発行方向１０Ａの方向に搬送、発行されるようになっている。
【００２７】
シャッタ２７はスロープ２７ａを有し、支点２７ｂの廻りに自重で自由に回転するよう保持されており、証明書１０１、１０２が発行方向１０Ａに搬送発行されるとき、該シャッタ２７の自重をスロープ２７ａに沿って押し退け搬送、発行される。
【００２８】
図５は発行口８側から見た正面図であるが、シャッタ２７は分割され装着されており、例えば幅の狭い証明書１０１を発行しようとした場合、該証明書１０１の幅に対応したシャッタ２７ー２のみ押し退け搬送発行されるようになっており、自重で保持されたシャッタ２７の最小限の自重量が証明書１０１の発行に加わるのみで、該証明書１０１の搬送発行に何ら支障ないようになっている。
【００２９】
発行口８に発行された証明書１０１、１０２が所定時間経過しても操作者によって引き抜かれ持って行かれなかった場合、取り忘れたものと見なされ前記証明書１０１、１０２は再度スタッカ１４内に引込まれ、自重で垂れ下がったブラインド３６を押し退け第２の搬送手段３４に送り込まれる。前記搬送手段３４によってさらに前記証明書１０１、１０２は回収スタッカ３５まで送られ回収、収納されるようになっている。
【００３０】
回収スタッカ３５は先端に湾曲したガイド３０が設けられており、所定サイズより大きい証明書１０２を回収収納する時は図示のとおり前記証明書１０２の先端部は前記ガイド３０によって湾曲案内され、装置内の空間に収納されるようになっている。
【００３１】
【発明の効果】
本発明によれば、従来方式に比べ各種サイズの各種証明書類の印刷、朱印、一括発行を極めて小型で簡単な機構で実現でき、効率の良い証明書類自動発行装置を提供できる。
【００３２】
また、所定サイズ以上の証明書類の取り忘れ回収も小型の回収機構で可能としたことで、発行した証明書サイズに影響されることなく、一括で発行し取り忘れた証明書を、一括で回収収納できる極めて小型で効率のよい証明書類の自動発行装置を提供できる。
【図面の簡単な説明】
【図１】本発明の要部を説明する装置断面図。
【図２】本発明の装置全体を説明する正面図。
【図３】本発明の朱印印字部を説明する平面図。
【図４】証明書の一例を説明する説明図。
【図５】証明書発行口を説明する正面図。
【符号の説明】
１・・・操作部、  ２・・・証明書類自動発行機構部、  ３・・・現金部、  ４・・・ＩＤリーダ、  ５・・・領収書発行部、  ６・・・制御装置、 ６ａ・・・駆動回路７・・・ＩＤカード、 ８・・・証明書発行口、  ９・・・領収書発行口、 １０・・・証明書、  １１・・・電子式印刷装置、  １２・・・第１の搬送手段、１３・・・朱印印字手段、  １４・・・スタッカ、１４ｃ・・・上部搬送ガイド開閉手段、１５・・・キャリア １６・・・サーマルライン印字ヘッド、１７・・・プラテン、１８・・・ヘッド押圧手段、１９・・・リボンカセット、２０・・・リボン、２１・・・キャリア駆動手段、２２・・・サポートレール、２３・・・キャリア駆動モータ、２４・・・ベルト、２６・・・リボンモータ、２７、２７ー１、２７ー２、２７ー３・・・シャッタ、２７ａ・・・シャッタスロープ、２７ｂ・・・シャッタ支点、２８・・・切替えゲート、２９・・・上部搬送ガイド、３０・・・下部搬送ガイド、３１・・・コイン投入口、３２・・・紙幣投入口、３３・・・釣銭口、３４・・・第２の搬送手段、３５・・・回収手段、３６・・・ブラインド、１０１、１０２・・・証明書、１１１、１１２、１１３・・・用紙ホッパ、１１１ａ、１１２ｂ、１１３ｃ・・・用紙、１１４・・・電子印刷部
【図１】
0003757087.tif 000002
【図２】
0003757087.tif 000003
【図３】
0003757087.tif 000004
【図４】
0003757087.tif 000005
【図５】
0003757087.tif 000006